(57)【要約】【課題】  寝具の構造体であり、高反発素材により作成された敷きマット等の寝具に簡易に付加でき、季節や気温に応じて快適な寝心地を提供するためのシート状寝具用部材を含む寝具の構造体を提供する。【解決手段】  高反発素材にて形成されている敷きマットと、それに付加するシート状部材からなる寝具の構造体とし、前記シート状部材は敷きマットと略同形状であり、少なくとも一部にアクリレート系吸湿発熱繊維を含むことを特徴とした。【選択図】図３
2015188626.tif 000002
【特許請求の範囲】
【請求項１】
高反発素材にて形成されている敷きマットと、それに付加するシート状部材からなる寝具の構造体であって、前記シート状部材は敷きマットと略同形状であり、少なくとも一部にアクリレート系吸湿発熱繊維を含む寝具の構造体。
【請求項２】
前記敷きマットが上層と下層の２層より構成されており、前記シート状部材を上層と下層の間に着脱可能にして構成される請求項１に記載の寝具の構造体。
【請求項３】
前記敷きマットはシーツにより周囲を覆われており、前記シーツの長手方向の少なくとも１側面に、前記シート状部材を、前記敷きマットに着脱可能に構成する、前記敷きマットを上下に開閉可能な切込みが形成されている請求項１または２のいずれかに記載の寝具の構造体。
【請求項４】
前記シート状部材を構成するアクリレート系吸湿発熱繊維が、前記シート状部材に含まれる繊維の５〜５０％を構成する、請求項１から３のいずれかに記載の寝具の構造体。
【請求項５】
前記敷きマットが、長手方向に３等分され、折り畳み可能な状態に連結されている請求項１から４のいずれかに記載の寝具の構造体。
【請求項６】
前記長手方向に３等分され、折り畳み可能な状態に連結されている敷きマットの、３等分された部分のいずれか１つまたは２つの部分における硬さが、他の部分より柔らかく形成されている請求項１から５のいずれかに記載の寝具の構造体。
【請求項７】
前記長手方向に３等分され、折り畳み可能な状態に連結されている敷きマットの、３等分された部分の中央部分における硬さが、他の部分より柔らかく形成されている請求項１から６のいずれかに記載の寝具の構造体。
【請求項８】
前記シート状部材に含まれる繊維が、アクリレート系吸湿発熱繊維に替わり、少なくとも一部に吸放湿性繊維を含む請求項１から７のいずれかに記載の寝具の構造体。
【発明の詳細な説明】
【技術分野】
【０００１】
本発明は、高反発素材により作成された敷きマット等の寝具に簡易に付加でき、季節や気温に応じて快適な寝心地を提供するためのシート状寝具用部材を含む寝具の構造体に関するものである。
【背景技術】
【０００２】
敷きマット等の寝具に関しては、肌に接する表面生地に関してそれ自体が綿や麻、ポリエステル、アクリル等の単一の素材で作製されていることが多く、素材に応じた機能は限られており、それを覆うカバー等も同様である。
したがって、季節やその日の気温によっては肌触りや吸湿性、保温性等の機能が適さないことになり、周囲の温度状況に適した寝具の寝心地の快適性を実現することが課題であった。
そして、前記の状況に適した寝具の寝心地の快適性を実現する手段としては、従来より多くの検討が行われている。例えば、中入れ綿を入れ替えることにより、四季の温度変化に対応して、保温性を調節できる敷き布団についての開示がある（特許文献１）。
又、上部材と下部材を設けて、外周縁に沿って一体化している寝具の、前記上部材と下部材の間に、温熱シート、冷却シート等のシート状あるいはパッド状の寝具用部材を脱着可能に被包し、簡易に、必要に応じた寝具用部材を利用できる寝具構造についての開示がある。（特許文献２）
又、シート状寝具用部材の四隅に、ゴムバンド等の係止部材を設けることにより、敷きマットとほぼ同面積、同形状のシート状寝具用部材の四隅を係止部材にて敷きマットに係止し、敷きマット等の表面にシート状寝具用部材の有する性能による快適性を付与することについては、公知である。
【特許文献１】実用新案登録第３０４４００９号公報
【特許文献２】特開平０６−２６９３４５号公報
【０００３】
しかし、これらの技術を用いた敷き布団、寝具に関する技術では、特に夏用に設計された通気性の優れた高反発素材の敷きマットに関して、冬用への汎用性を考慮した場合、シート状寝具用部材を付加又は内臓した状態でも、その高反発素材の敷きマットの通気性に優れる性能より、十分な暖かさを得ることが出来なかった。
又、シート状寝具用部材の肌に接する表面の裏面側四隅に、ゴムバンド等の係止部材を設けることにより、シート状寝具用部材を係止部材にて敷きマットに係止する場合、上記敷きマットに設けられた空間に挿入する方法よりも簡易にシート状寝具用部材を付加することが可能であるが、シート状寝具用部材のサイズが敷きマットとは異なる場合、シート状寝具用部材の部分的な浮きや、敷きマットの部分的な反りが生じ、または使用時におけるゴムバンドによる手足の引っ掛かりによる不快感を生じさせるとの問題もあった。
【発明の概要】
【発明が解決しようとする課題】
【０００４】
本発明は、前記従来の問題を解決するため、高反発素材により作成された敷きマット等の寝具に簡易に付加でき、季節や気温に応じて快適な寝心地を提供するためのシート状寝具用部材を含む寝具の構造体に関するものである。
【課題を解決するための手段】
【０００５】
以上の課題を解決するために、本発明における請求項１に記載の発明は、高反発素材にて形成されている敷きマットと、それに付加するシート状部材からなる寝具の構造体であって、前記シート状部材は敷きマットと略同形状であり、少なくとも一部にアクリレート系吸湿発熱繊維を含むことを特徴とする寝具の構造体とした。
【０００６】
又、請求項２に記載の発明は、前記敷きマットが上層と下層の２層より構成されており、前記シート状部材を上層と下層の間に着脱可能にして構成されることを特徴とする寝具の構造体とした。
【０００７】
さらに、請求項３に記載の発明は、前記敷きマットはシーツにより周囲を覆われており、前記シーツの長手方向の少なくとも１側面に、前記シート状部材を、前記敷きマットに着脱可能に構成する、前記敷きマットを上下に開閉可能な切込みが形成される寝具の構造体とした。
【０００８】
次に、請求項４に記載の発明は、前記シート状部材を構成するアクリレート系吸湿発熱繊維が、前記シート状部材に含まれる繊維の５〜５０％を構成することを特徴とする寝具の構造体とした。
【０００９】
次に、請求項５に記載の発明は、前記敷きマットが、長手方向に３等分され、折り畳み可能な状態に連結されていることを特徴とする寝具の構造体とした。
【００１０】
次に、請求項６に記載の発明は、前記長手方向に３等分され、折り畳み可能な状態に連結されている敷きマットの、３等分された部分のいずれか１つまたは２つの部分における硬さが、他の部分より柔らかく形成されていることを特徴とする寝具の構造体とした。
【００１１】
次に、請求項７に記載の発明は、前記長手方向に３等分され、折り畳み可能な状態に連結されている敷きマットの、３等分された部分の中央部分における硬さが、他の部分より柔らかく形成されていることを特徴とする寝具の構造体とした。
【００１２】
最後に、請求項８に記載の発明は、前記シート状部材を構成する素材が、アクリレート系吸湿発熱繊維に替わり、少なくとも一部に吸放湿性繊維を含むことを特徴とする寝具の構造体とした。
【発明の効果】
【００１３】
本発明の寝具の構造体は、上記の構成とすることにより、高反発素材により作成された敷きマット等の寝具にシート状寝具用部材を簡易に付加でき、季節や気温に応じて快適な寝心地を提供することが可能となる。
【図面の簡単な説明】
【００１４】
【図１】図１は、本発明における１つの実施の形態における寝具の構造体１の全体図である。
【図２】図２は、図１における寝具の構造体１を覆うシーツ４の内部に配置される敷きマット２と、敷きマット２の上層２１と下層２２の間に配置されたシート状部材３を示す図である。
【図３】図３は、図１におけるシーツ４の長手方向の１側面に設けられた、上下に開孔可能な切り込み５により、シート状部材３を着脱する様子を示す図である。
【発明を実施するための形態】
【００１５】
高反発素材にて形成されている敷きマットは風通しが良く、夏などの気温が高い時期には非常に快適な寝心地を提供できるが、冬などの気温が低い時期に使用するには、保温・発熱機能を有しておらず、非常に寒さを感じるものであった。しかしながら本発明者は、吸湿発熱繊維を有するマット状寝具用部材を付加することにより、その夏用の風通しの良い機能を有する高反発素材による敷きマットを、冬用にも使用が出来る、すなわちオールシーズンで使用できる可能性を見出し、本発明を着想するに至った。
また、本発明品となる寝具の構造体は、敷きマット等の寝具にシート状寝具用部材を、簡易に付加できるところにも特徴がある。
【００１６】
本発明の寝具の構造体は、高反発素材により形成されている敷きマットと、その周囲を覆うシーツ、そして敷きマットに付加されるシート状部材から構成されており、敷きマットに用いられる高反発素材としてはウレタンフォーム、任意の樹脂製網状三次元構造体などが挙げられる。
【００１７】
敷きマットの高反発素材を覆う布、又シーツに用いる素材としては、どのような素材としても任意であるが、シート状部材を使用しない場合、夏用もしくは気温が高い場合に用いることから、セルロース系繊維、アセテート系繊維などの、さらっとしていて接触冷感があり、吸汗速乾性のある素材が好ましい。
【００１８】
シート状部材に用いられる素材としては、冬用もしくは気温が低い場合を想定しているので保温性、発熱性を発揮する素材を用いることが望ましい。
ここで、敷きマットとシーツが前記のような夏用の素材で構成されていることより、冬用に使用するとなると、従来のような綿、羽毛、羊毛、ポリエステル等の保温性もしくは吸湿発熱機能のある素材では、寝具の構造体とした場合、十分な保温性もしくは発熱性を発揮しない。
上記の条件を満たす素材としては、アクリレート系吸湿発熱繊維（ミズノ社製ブレスサーモ）という製品がある。
その理由としては、他の繊維に比べて吸湿発熱量が高いからである。
このブレスサーモの綿状繊維の状態における発熱量を測定した。具体的には、綿状の
繊維を８０℃で約６時間乾燥した後に双子型伝導熱量計（仏ＳＥＴＡＲＡＭ社製、Ｃ８０熱量計）を使用し、２５℃、８０．５％ＲＨの湿度条件下で測定した。結果は繊維１ｇあたりの熱量は８３８Ｊ／ｇ（２００ｃａｌ／ｇ）で、羊毛綿、ダウン羽毛の３９２〜４６１Ｊ／ｇ（８０〜１１０ｃａｌ／ｇ）と比較してもかなり大きな吸湿熱を得ることができることがわかる。
【００１９】
またシート状部材に用いられる素材としては、通常の繊維素材と、上記のアクリレート系吸湿発熱繊維とを混合させて使用することも可能である。
この場合、通常の繊維素材としては、特に限定されるものではなく、例えば、ポリエステル、ナイロン、アクリル、ウール、綿などの素材を使用することができる。
よって、発熱の度合いについては、アクリレート系吸湿発熱繊維と通常の繊維の混合率を変化させることで、調整可能である。
【００２０】
また、敷きマットは上層と下層の２層より構成されており、シート状部材を上層と下層の間に着脱可能にして構成されることを特徴とする寝具の構造体としており、このように
構成することで、簡易にシート状部材を固定することが可能になる。
更には、保温・発熱効果が低く寒い場合、上層の上にシート状部材を配置して、保温・発熱効果を高めることも可能である。
同様に、保温・発熱効果が高すぎて熱い場合、下層の下にシート状部材を配置して、保温・発熱効果を下げることも可能である。
【００２１】
また、シーツの長手方向の少なくとも１側面に、シート状部材を敷きマットに着脱可能に構成する、敷きマットを上下に開閉可能な切込みが形成されており、切り込みはシート状部材の長手方向の長さより長めに形成されていることが好ましい。
そのようにすることで、シート状部材をシーツに形成された切込み端が阻害することなく着脱が可能となる。
【００２２】
また、シート状部材を構成するアクリレート系吸湿発熱繊維が、シート状部材に含まれる繊維の５〜５０％を構成することが好ましい。
５０％より多いと、熱く感じ、コストも高騰することになり、５％より少ないと寒く感じて、シート状部材を挿入する保温・発熱効果が低減することとなる。
【００２３】
また、敷きマットが、長手方向に３等分され、折り畳み可能な状態に連結されていることが好ましく、３等分された部材を重ね合わせるように折り畳むことで、コンパクトな収納が可能となる。
【００２４】
さらには、長手方向に３等分され、折り畳み可能な状態に連結されている敷きマットの、３等分された部分のいずれか１つまたは２つの部分における硬さが、他の部分より柔らかく形成されていることが好ましい。
このように柔らかい部分を形成することで、さらに人体が敷きマットに密着することになるので、保温・発熱効果が高まることになり、またより暖めたい部分を選択して使用することができる。
特に中央部分における硬さが、他の部分より柔らかく形成されることで、日常生活で負担のかかる腰部分により負担をかけず、密着することにより保温・発熱効果を高めて、暖めることが可能になる。
【００２５】
また、シート状部材に含まれる繊維において、アクリレート系吸湿発熱繊維に替わり、少なくとも一部を吸放湿性繊維とすることも可能である。
このように構成することで、夏用もしくは気温が高い場合に、人体からの水蒸気（不感蒸泄）や汗をすばやく処理でき、夏用もしくは気温が高い場合の寝具の構造体の使用効果をさらに向上させることが可能となる。
このような素材としては、ミズノ社製の吸放湿性繊維である「ドライベクター」という製品がある。
【００２６】
本発明品である寝具の構造体における、敷きマットについては、そのサイズが縦１６０ｃｍ〜２００ｃｍ、横８０ｃｍ〜１２０ｃｍ、厚み２０ｃｍ〜６０ｃｍにて形成されている。
シート状部材については、縦１５０ｃｍ〜１９０ｃｍ、横７０ｃｍ〜１１０ｃｍ、厚み１５〜２５ｍｍにて形成されている。
シーツについては、上記敷きマットにシート状部材を付加した状態を覆うことが可能なサイズであれば、任意である。
【００２７】
以下図面を用いて説明する。
【００２８】
図１は、本発明における１つの実施の形態における寝具の構造体１の全体図である。
シーツ４の長手方向の側面に設けられた切込み５については、ファスナーや面ファスナー
等で、開閉可能となっていれば、その手段については任意である。
【００２９】
図２は、図１における寝具の構造体１を覆うシーツ４の内部に配置される敷きマット２と、敷きマット２の上層２１と下層２２の間に配置されたシート状部材３を示す図である。
敷きマット２の上層２１と下層２２はそれぞれ、３等分されて連結されており、その連結手段としては任意であり、シーツ状の布にて覆っても、それぞれを縫製しても良い。
又、敷きマット２は１層の構成としても良い。
【００３０】
図３は、図１におけるシーツ４の長手方向の１側面に設けられた、敷きマット２を上下に開閉可能とした切り込み孔５により、シート状部材３を着脱する様子を示す図である。
図３では敷きマット２の上層２１と下層２２の間に、シート状部材３を着脱する様子を示しているが、シート状部材３の保温・発熱性等の機能調節のために、上層２１の上に配置しても良いし、下層２２の下に配置しても良いし、その配置の場所については上層２１と下層２２の間に限定されない。
【産業上の利用可能性】
【００３１】
本発明品は、夏用、冬用、さらにはオールシーズンで快適に使用できる寝具の構造体に好適である。
【符号の説明】
【００３２】
１  本発明における寝具の構造体の外観図
２  敷きマット
２１  敷きマットの上層
２２  敷きマットの下層
３  シート状部材
４  シーツ
５  切り込み孔
【図１】
2015188626.tif 000003
【図２】
2015188626.tif 000004
【図３】
2015188626.tif 000005